(57)【要約】【課題】小型で部品点数を増やすことなく、光量を十分確保可能な内視鏡を提供する。【解決手段】観察対象の内部に少なくとも一部が導入され、観察対象の内部の被写体の撮像を行う内視鏡であって、一部が導入される導入方向Ｄ１側を照明する照明デバイス８と、導入方向側を撮像する撮像ユニットと、を備え、照明デバイスは、第１の電極１１と、第２の電極１２と、これらの電極間に介在させて積層させた有機発光層１３と、を有する発光ユニット１４を、各電極及び有機発光層を積層させた積層方向Ｅに複数重ねた状態で備えている。【選択図】図４
2010227156.tif 000002
【特許請求の範囲】
【請求項１】
観察対象の内部に少なくとも一部が導入され、該観察対象の内部の被写体の撮像を行う内視鏡であって、
前記一部が導入される導入方向側を照明する照明デバイスと、
前記導入方向側を撮像する撮像ユニットと、を備え、
前記照明デバイスは、
第１の電極と、第２の電極と、これらの電極間に介在させて積層させた有機発光層と、を有する発光ユニットを、各前記電極及び前記有機発光層を積層させた積層方向に複数重ねた状態で備えていることを特徴とする内視鏡。
【請求項２】
請求項１に記載の内視鏡において、
前記照明デバイスは、前記積層方向が前記導入方向に直交するように配置され、
各前記発光ユニットの前記導入方向の先端部に設けられ、各前記有機発光層から発生された光を前記導入方向側に照射する光取出し部と、
複数の前記発光ユニットの前記積層方向側に一の該発光ユニットに接続されて配置され、前記光のうち前記積層方向に進むものを遮光する遮光部と、
をさらに備えることを特徴とする内視鏡。
【請求項３】
請求項１に記載の内視鏡において、
一の前記発光ユニットの前記有機発光層と、二の前記発光ユニットの前記有機発光層とは、互いに異なる波長の光をそれぞれ発生することを特徴とする内視鏡。
【請求項４】
請求項１に記載の内視鏡において、
複数の前記発光ユニットのうち２以上の該発光ユニットの前記有機発光層は、それぞれ等しい波長の光を発生することを特徴とする内視鏡。
【請求項５】
請求項１に記載の内視鏡において、
少なくとも一の前記発光ユニットと二の前記発光ユニットに、それぞれ独立して電圧を供給可能な制御部をさらに備えることを特徴とする内視鏡。
【請求項６】
請求項１に記載の内視鏡において、
互いに隣接する一の前記発光ユニットと二の前記発光ユニットのそれぞれの前記有機発光層は、共通の電極を備えることを特徴とする内視鏡。
【請求項７】
請求項１に記載の内視鏡において、
前記導入方向の先端部にはカバー部材が設けられ、
全体としての形状がカプセル状に形成されていることを特徴とする内視鏡。
【発明の詳細な説明】
【技術分野】
【０００１】
本発明は、観察対象の内部に導入して撮像を行う内視鏡に関するものである。
【背景技術】
【０００２】
この種の内視鏡は、撮像を明瞭に行うために被写体を明るく照明することが重要とされている。内視鏡の１つとして体腔内の撮像を行う医療用の内視鏡が知られているが、この内視鏡は、体腔外に配置した光源装置から光ケーブル等を利用して体腔内へ光を導入することで、体腔内の被写体を明るく照明している。このような構成は、一般的に良く知られている。
【０００３】
また、近年では、飲み込み可能なカプセル型の内視鏡（カプセル内視鏡）が開発されている。
このカプセル内視鏡は、被験者への負担を極力軽減した状態で体腔内の撮像を行うことが可能であるので、注目を浴びている内視鏡の１つである。ところで、カプセル内視鏡の場合には、カプセル状の筐体の内部に設けられた照明デバイスによって被写体の照明を行っている。
この照明デバイスとしては、撮像ユニットの近傍に配置されたＬＥＤで行っているのが一般的である。また、ＬＥＤではなく、有機化合物で面状の発光層を構成した有機発光ダイオード（ＯＬＥＤ）である有機ＥＬ素子を、照明デバイスとして利用したカプセル内視鏡も知られている（例えば、特許文献１参照）。このカプセル内視鏡では、撮像ユニットの近傍に有機ＥＬ素子を配置し、面発光により撮像ユニットの視野方向を照明するように構成されている。
【０００４】
特に、有機ＥＬ素子（発光ユニット）は、透明基板上に、陽極として機能する透明電極と、有機発光層と、陰極として機能する金属薄膜とが、順に積層されたものであり、非常に厚みが薄い薄膜デバイスである。よって、有機ＥＬ素子を照明デバイスとして利用することで、ＬＥＤよりもカプセル内視鏡の小型化に貢献することができるので、好適に用いられている。
【先行技術文献】
【特許文献】
【０００５】
【特許文献１】特開２００６−２５５２４７号公報
【発明の概要】
【発明が解決しようとする課題】
【０００６】
しかしながら、内視鏡先端へ照明用に例えばＬＥＤを搭載する場合には、照明の光量を増やすにはＬＥＤの輝度を上げることになるが、ＬＥＤの性能以上に輝度は上がらない。また、内視鏡の先端部の大きさの制約から、多数のＬＥＤ照明光源を設置することが難しい。
【０００７】
本発明は、このような問題点に鑑みてなされたものであって、小型で部品点数を増やすことなく、光量を十分確保可能な内視鏡を提供するものである。
【課題を解決するための手段】
【０００８】
上記課題を解決するために、この発明は以下の手段を提案している。
本発明の内視鏡は、観察対象の内部に少なくとも一部が導入され、該観察対象の内部の被写体の撮像を行う内視鏡であって、前記一部が導入される導入方向側を照明する照明デバイスと、前記導入方向側を撮像する撮像ユニットと、を備え、前記照明デバイスは、第１の電極と、第２の電極と、これらの電極間に介在させて積層させた有機発光層と、を有する発光ユニットを、各前記電極及び前記有機発光層を積層させた積層方向に複数重ねた状態で備えていることを特徴としている。
【０００９】
この発明によれば、各発光ユニットの第１の電極と第２の電極の間に電圧を供給すると、それぞれの有機発光層が光を発生させる。これにより、内視鏡を観察対象の内部に導入するにあたって、導入方向側を複数の有機発光層により照明し撮像ユニットにより被写体を撮像する。従って、十分な光量を確保して撮像することができる。
また、一般的に、現在の発光ユニットの製造技術によれば、一つの発光ユニットの積層方向の厚さを例えば数百ｎｍ程度に抑えることが可能であり、発光ユニットを積層方向に複数重ねて配置しても複数の発光ユニットの積層方向の厚さは内視鏡の寸法に比べて小さくなっている。このように、発光ユニットを積層することにより発光ユニットが発生させる光量を増加させることができるので、内視鏡の大型化と部品点数の増加を抑えることが可能となる。
【００１０】
また、上記の内視鏡において、前記照明デバイスは、前記積層方向が前記導入方向に直交するように配置され、各前記発光ユニットの前記導入方向の先端部に設けられ、各前記有機発光層から発生された光を前記導入方向側に照射する光取出し部と、複数の前記発光ユニットの前記積層方向側に一の該発光ユニットに接続されて配置され、前記光のうち前記積層方向に進むものを遮光する遮光部と、をさらに備えることがより好ましい。
この発明によれば、発光ユニットを複数重ねて配置する積層方向が導入方向に直交するように配置されているので、内視鏡の導入方向に直交する断面をより小さくし、内視鏡を小型にすることが可能となる。また、遮光部により光を導入方向に導き、光取出し部から導入方向に向かう光を取り出し導入方向側に出射させることができる。
【００１１】
また、上記の内視鏡において、一の前記発光ユニットの前記有機発光層と、二の前記発光ユニットの前記有機発光層とは、互いに異なる波長の光をそれぞれ発生することがより好ましい。
この発明によれば、照明デバイスから広範囲にわたる波長の光を発生させることができる。例えば、各有機発光層から発生される光が可視光線である場合には、照明デバイスから発生される光を全体として、使用者が観察対象を観察するのに適した白色光に近づけることが可能となる。
【００１２】
また、上記の内視鏡において、複数の前記発光ユニットのうち２以上の該発光ユニットの前記有機発光層は、それぞれ等しい波長の光を発生することがより好ましい。
この発明によれば、２以上の発光ユニットのそれぞれの有機発光層から、一定の波長の光を光量を十分確保して発生させることができる。
【００１３】
また、上記の内視鏡において、少なくとも一の前記発光ユニットと二の前記発光ユニットに、それぞれ独立して電圧を供給可能な制御部をさらに備えることがより好ましい。
この発明によれば、一の発光ユニット及び二の発光ユニットの有機発光層から光を発生させる状態と光を発生させない状態とを、それぞれ独立して切り替えることができる。
【００１４】
また、上記の内視鏡において、互いに隣接する一の前記発光ユニットと二の前記発光ユニットのそれぞれの前記有機発光層は、共通の電極を備えることがより好ましい。
この発明によれば、照明デバイスを積層方向にコンパクトに構成することができる。
【００１５】
また、上記の内視鏡において、前記導入方向の先端部にはカバー部材が設けられ、全体としての形状がカプセル状に形成されていることがより好ましい。
この発明によれば、全体としての形状がカプセル状に形成されているので、医療用のカプセル内視鏡として利用することができる。
【発明の効果】
【００１６】
本発明の内視鏡によれば、小型で部品点数を増やすことなく、光量を十分確保することができる。
【図面の簡単な説明】
【００１７】
【図１】本発明の第１実施形態の内視鏡の斜視図である。
【図２】同内視鏡の先端硬質部の断面を示す説明図である。
【図３】図２におけるＡ１方向矢視図である。
【図４】同内視鏡の要部の断面を示す説明図である。
【図５】同内視鏡の変形例の要部の断面を示す説明図である。
【図６】同内視鏡の変形例の要部の断面を示す説明図である。
【図７】同内視鏡の変形例の要部の断面を示す説明図である。
【図８】本発明の第２実施形態の内視鏡の先端硬質部の断面を示す説明図である。
【図９】本発明の第３実施形態の内視鏡の断面を示す説明図である。
【発明を実施するための形態】
【００１８】
（第１実施形態）
以下、本発明に係る内視鏡の第１実施形態を、図１から図４を参照しながら説明する。本実施形態では、内視鏡の一例として医療用に用いられる内視鏡を説明する。図１は、本発明の実施形態の内視鏡の斜視図である。
図１に示すように、この内視鏡１は、不図示の被験者（観察対象）の体腔内（内部）に挿入部２が導入され、被験者の内部の被写体の撮像を行う装置である。
本実施形態の内視鏡１は、管状で長尺に形成され可撓性を有する挿入部２と、挿入部２の基端部に接続され挿入部２の先端側に設けられた湾曲部３を湾曲操作する操作部４と、を主に備えている。
そして、挿入部２の先端部であって湾曲部３の先端側には、先端硬質部５が設けられている。
【００１９】
図２及び図３に示すように、この先端硬質部５の外周面には、光を遮断する遮光膜（遮光部）７が配設されている。そして、先端硬質部５には、遮光膜７の内周面に設けられた円筒状の照明デバイス８と、先端硬質部５と同一の軸線Ｃ１上に設けられ先端硬質部５において挿入部２が導入される導入方向Ｄ１側を撮像する撮像ユニット９と、が先端硬質部５の先端面に露出した状態でそれぞれ備えられている。
先端硬質部５の導入方向Ｄ１側を照明する照明デバイス８と、撮像ユニット９と、は同一の軸線Ｃ１上に配置されている。照明デバイス８の導入方向Ｄ１の先端部には、後述するように導入方Ｄ１向側に光を照射するリング状の光取出し部１０が配設されている。
【００２０】
図４に示すように、照明デバイス８は、第１の電極１１と、第２の電極１２と、これらの電極間に介在させて積層させた有機発光層１３と、を有する発光ユニット１４を、各電極１１、１２及び有機発光層１３を積層させた積層方向Ｅ１に２つ重ねた状態に備えている。
なお、説明の便宜のため、外側に配置された発光ユニット１４及びその各構成の符号にＡを付けて発光ユニット１４Ａ等と示し、内側に配置された発光ユニット１４及びその各構成の符号にＢを付けて発光ユニット１４Ｂ等と示す。
【００２１】
そして、本実施形態では、発光ユニット１４Ｂの第１の電極１１Ｂは、発光ユニット１４Ａの第２の電極１２Ａと一体となっている。すなわち、互いに隣接する発光ユニット１４Ａと発光ユニット１４Ｂのそれぞれの有機発光層１３Ａ、１３Ｂは、共通の電極である第２の電極１２Ａを備えている。このように、第１の電極１１Ａ、有機発光層１３Ａ、第２の電極１２Ａ、有機発光層１３Ｂ、及び第２の電極１２Ｂは、それぞれが導入方向Ｄ１に延びた円筒状に形成されるとともに、この順で先端硬質部５の径方向外側から内側に互いに密着した状態で配置されている。
また、有機発光層１３Ａが発生する光Ｌ１と有機発光層１３Ｂが発生する光Ｌ２とは、波長が互いに異なるように設定されている。より詳しくは、本実施形態では光Ｌ１及び光Ｌ２はともに可視光線であるが、光Ｌ１の波長の方が光Ｌ２の波長よりも短くなるように設定されている。
【００２２】
発光ユニット１４Ａの第１の電極１１Ａ及び第２の電極１２Ａ、及び発光ユニット１４Ｂの第２の電極１２Ｂは透明電極であって、例えば、ＩＴＯ、ＡＴＯやＺｎＯ等の透明導電膜で形成されている。有機発光層１３Ａ、１３Ｂは、発光に必要な各種の材料が積層されて得られた層であり、第１の電極１１Ａと第２の電極１２Ａ、及び第２の電極１２Ａと第２の電極１２Ｂとの間に電圧が供給されると、正孔と電子との結合によってそれぞれ指向性のない光を発するようになっている。
【００２３】
照明デバイス８は、前述の積層方向Ｅ１が導入方向Ｄ１に直交するように配置されている。
光取出し部１０は、有機発光層１３Ａ、１３Ｂの導入方向Ｄ１の先端部に接続されている。また、発光ユニット１４Ａの第１の電極１１Ａの外周面には、円筒状の透明基板１５が接続されている。すなわち、発光ユニット１４Ａ、１４Ｂは、透明基板１５の内周面上に積層されている。そして、前述の遮光膜７は、この透明基板１５の外周面に接続されて固定されている。
【００２４】
発光ユニット１４Ａの第１の電極１１Ａと発光ユニット１４Ｂの第２の電極１２Ｂには、これらの電極１１Ａ、１２Ｂに所定の電圧を供給するように制御する制御部１８が接続されている。
制御部１８は、第１の電極１１Ａと第２の電極１２Ｂに電気的にそれぞれ接続され、これらの電極１１Ａ、１２Ｂに電圧を供給する電圧供給ユニット１８ａと、この電圧供給ユニット１８ａを制御する制御ユニット１８ｂとを有する。また、制御ユニット１８ｂは操作部４に接続され、操作部４を操作することで、制御ユニット１８ｂを介して電圧供給ユニット１８ａを制御することが可能となっている。
これら電圧供給ユニット１８ａ及び制御ユニット１８ｂの配設される場所は、内視鏡１の挿入部２内に限ることなく、操作部４内等の他の場所でも良い。
【００２５】
図２に戻って、撮像ユニット９は、複数のレンズ２０からなる対物レンズ群２１と、対物レンズ群２１の基端側に配置された固体撮像素子２２と、で構成されており、光取出し部１０の先端と撮像ユニット９の先端との導入方向Ｄ１の位置が一致するように配置されている。
そして、図１に示すように、内視鏡１の操作部４から延びるユニバーサルケーブル２３には本体部２４が接続され、この本体部２４に設けられたＬＣＤ等の表示部２５には、撮像ユニット９で撮影した画像を表示することが可能となっている。
【００２６】
次に、以上のように構成された内視鏡１を利用して体腔内で撮像を行う工程について説明する。
まず、使用者は、操作部４を操作して、制御ユニット１８ｂを介して電圧供給ユニット１８ａにより照明デバイス８に所定の電圧を供給させる。すると、有機発光層１３Ａ、１３Ｂが光を発生する。図４に示すように、一般的に、有機発光層１３Ａ、１３Ｂが発生させる光のうち３割程度が積層方向Ｅ１に進む光Ｌ１１、Ｌ２１となり、残りの７割程度が導入方向Ｄ１、又は導入方向Ｄ１と逆方向の基端方向Ｄ２に進む光Ｌ１２、Ｌ２２となる。
光Ｌ１１、Ｌ２１のうち、積層方向Ｅ１の外側に進んで透明基板１５を透過して遮光膜７に当たった光は遮光膜７に吸収もしくは反射されたり、導入方向Ｄ１に導かれたりする。一方、光Ｌ１２、Ｌ２２は光取出し部１０に取り出されて、可視光線であって互いに異なる波長の光Ｌ１、Ｌ２として導入方向Ｄ１側に照射される。
【００２７】
そして、図２に示すように、照明デバイス８から導入方向Ｄ１側に照射され、体腔Ｑの内壁で反射されて撮像ユニット９で撮影された画像は表示部２５に表示される。
使用者は、この表示部２５に表示された画像を確認し、操作部４を操作して湾曲部３を湾曲させながら挿入部２を体腔Ｑ内に挿入していく。そして、体腔Ｑの内壁に形成された標的組織等の被写体の撮像を行う。
【００２８】
こうして、本発明の第１実施形態の内視鏡１によれば、発光ユニット１４Ａの第１の電極１１Ａと第２の電極１２Ａ、及び発光ユニット１４Ｂの第２の電極１２Ａと第２の電極１２Ｂの間に電圧をそれぞれ供給すると、有機発光層１３Ａ、１３Ｂがそれぞれ光Ｌ１、Ｌ２を発生させる。これにより、内視鏡１の挿入部２を体腔Ｑの内部に導入するにあたって、導入方向Ｄ１側を２つの有機発光層１３Ａ、１３Ｂにより照明し撮像ユニット９により被写体を撮像する。従って、十分な光量を確保して撮像することができる。
また、一般的に、現在の発光ユニットの製造技術によれば、一つの発光ユニットの積層方向Ｄ１の厚さを例えば数百ｎｍ程度に抑えることが可能であり、発光ユニットを複数重ねて配置しても複数の発光ユニットの積層方向Ｅ１の厚さは挿入部２の径方向の寸法に比べて小さくなっている。このように、発光ユニットを積層することにより発光ユニットが発生させる光量を増加させることができるので、内視鏡１の大型化と部品点数の増加を抑えることが可能となる。
【００２９】
また、発光ユニット１４Ａ、１４Ｂを２つ重ねて配置する積層方向Ｅ１が導入方向Ｄ１に直交するように配置されているので、挿入部２の先端硬質部５の導入方向Ｄ１に直交する断面をより小さくし、内視鏡１を小型化することが可能となる。また、遮光膜７により積層方向Ｅ１に進む光Ｌ１１、Ｌ２１を導入方向Ｄ１に導き、もともと導入方向Ｄ１に進む光Ｌ１２、Ｌ２２と合わせて、光取出し部１０から導入方向Ｄ１に向かう光Ｌ１、Ｌ２を取り出し、導入方向Ｄ１側に出射させることができる。
また、有機発光層１３Ａが発生する光Ｌ１と有機発光層１３Ｂが発生する光Ｌ２の波長が互いに異なるので、照明デバイス８から広範囲にわたる波長の光を発生させることができる。従って、照明デバイス８から発生される光を全体として、使用者が体腔Ｑ内を観察するのに適した白色光に近づけることが可能となる。
また、互いに隣接する発光ユニット１４Ａと発光ユニット１４Ｂのそれぞれの有機発光層１３Ａ、１３Ｂは、共通の電極である第２の電極１２Ａを備えるので、照明デバイス８を積層方向Ｅ１にコンパクトに構成することができる。
【００３０】
なお、本実施形態では、照明デバイス８に備えられる発光ユニットの数に制限はなく、２つ以上であれば幾つでも良い。そして、２つ以上備えられた発光ユニットの有機発光層のうち、少なくとも１つの有機発光層が発生する光の波長が、他の有機発光層が発生する光の波長と異なっていれば、照明デバイスから広範囲にわたる波長の光を発生させることができる。
【００３１】
また、本実施形態では、図４に示すような照明デバイス８及び制御部１８を備えた。しかし、これら照明デバイス８及び制御部１８に代えて以下に説明するような様々な形態の照明デバイス及び制御部を備えても良い。なお、前記実施形態と同一の部位には同一の符号を付してその説明は省略し、異なる点についてのみ説明する。
図５に示すように、本変形例の照明デバイス３１は、前記実施形態の照明デバイス８の発光ユニット１４Ｂに代えて、発光ユニット１４Ｃを備えている。この発光ユニット１４Ｃは、発光ユニット１４Ｂの有機発光層１３Ｂに代えて、発光ユニット１４Ａの有機発光層１３Ａと等しい波長の光Ｌ１を発生する有機発光層１３Ｃを備えている。
照明デバイス３１をこのように構成することで、発光ユニット１４Ａ、１４Ｃのそれぞれの有機発光層１３Ａ、１３Ｃから、一定の波長の光Ｌ１を光量を十分確保して発生させることができる。
なお、この変形例では、照明デバイス３１に備えられる発光ユニットの数に制限はなく、２つ以上であれば幾つでも良い。そして、２つ以上備えられた発光ユニットの有機発光層のうち、等しい波長の光を発生する有機発光層が２つ以上備えられていれば良い。
【００３２】
また、図６に示すように、本変形例では、前記実施形態の制御部１８に代えて、制御部３６を備えている。この制御部３６は、第１の電極１１Ａと第２の電極１２Ａの間に電圧を供給する電圧供給ユニット３７ａと、第２の電極１２Ａと第２の電極１２Ｂの間に電圧を供給する電圧供給ユニット３７ｂと、これらの電圧供給ユニット３７ａ、３７ｂを制御する制御ユニット１８ｂと、を有する。このように、制御部３６により、発光ユニット１４Ａと発光ユニット１４Ｂに、それぞれ独立して電圧を供給可能となるように構成されている。
制御部３６をこのように構成することで、発光ユニット１４Ａ及び発光ユニット１４Ｂの有機発光層１３Ａ、１３Ｂから光を発生させる状態と光を発生させない状態とを、それぞれ独立して切り替えることができる。
そして、例えば、体腔Ｑ内の被写体に応じて照明デバイス８から発生させる光の波長を切り替えることにより、使用者は被写体が体腔の他の部分から際立てられた状態で観察することが可能となる。
【００３３】
また、図７に示すように、本変形例の照明デバイス４１は、前記実施形態の照明デバイス８のように発光ユニット１４Ｂの第１の電極１１Ｂは発光ユニット１４Ａの第２の電極１２Ａと一体となっておらず、発光ユニット１４Ａと発光ユニット１４Ｄを積層方向Ｅ１に重ねた状態に備えている。この発光ユニット１４Ｄは、第１の電極１１Ｂと、第２の電極１２Ｂと、これらの電極間に介在させて積層させた有機発光層１３Ｂと、を有する。
【００３４】
（第２実施形態）
次に、本発明に係る第２実施形態について説明するが、前記実施形態と同一の部位には同一の符号を付してその説明は省略し、異なる点についてのみ説明する。
図８に示すように、本実施形態の内視鏡５１は、前記実施形態の内視鏡１の照明デバイス８に代えて、遮光膜７の内周面に設けられた円筒状の照明デバイス５２を備えている。この照明デバイス５２は、第１の電極１１Ｅと、第２の電極１２Ｅと、これらの電極間に介在させて積層させた有機発光層１３Ｅと、を有する発光ユニット１４Ｅと、第１の電極１１Ｆと、第２の電極１２Ｆと、これらの電極間に介在させて積層させた有機発光層１３Ｆと、を有する発光ユニット１４Ｆとを、導入方向Ｄ１に沿う方向である積層方向Ｅ２に重ねた状態に備えている。
なお、本実施形態においても、発光ユニット１４Ｆの第１の電極１１Ｆは、発光ユニット１４Ｅの第２の電極１２Ｅと一体となっている。
このように、第１の電極１１Ｅ、有機発光層１３Ｅ、第２の電極１２Ｅ、有機発光層１３Ｆ、及び第２の電極１２Ｆは、それぞれがリング状に形成されるとともに、この順で先端硬質部５の先端側から基端側に互いに密着した状態で配置されている。
【００３５】
電圧供給ユニット１８ａは、第１の電極１１Ｅと第２の電極１２Ｆに電気的にそれぞれ接続されている。
第１の電極１１Ｅの先端側の面には、リング状の透明基板５３が接続されている。そして、光取出し部１０は透明基板５３の先端側の面に接続されている。
【００３６】
以上のように構成された内視鏡５１の照明デバイス５２は、電圧供給ユニット１８ａにより第１の電極１１Ｅと第２の電極１２Ｆとの間に電圧が供給されると、有機発光層１３Ｅ、１３Ｆから光が発生され、積層方向Ｅ２に直交する方向に進んで遮光膜７に当たった光は遮光膜７に吸収もしくは反射されたり、導入方向Ｄ１に導かれたりする。一方、導入方向Ｄ１に進んだ光は、透明基板５３を透過して光取出し部１０に取り出されて導入方向Ｄ１側に照射される。
【００３７】
こうして、本発明の第２実施形態の内視鏡５１によれば、前記実施形態の内視鏡１と同様の効果を奏することができる。
【００３８】
（第３実施形態）
次に、本発明に係る第３実施形態について説明するが、前記実施形態と同一の部位には同一の符号を付してその説明は省略し、異なる点についてのみ説明する。
図９に示すように、第３実施形態と第１実施形態との異なる点は、第１実施形態では、挿入部２だけを被験者の体腔内に導入する一般的な内視鏡１であったのに対し、第３実施形態の内視鏡６１は、全体を被験者の体腔内に導入するカプセル型である点である。
すなわち、本実施形態の内視鏡６１は、円柱状に形成された遮光膜６２と、遮光膜６２の先端部及び基端部に取付けられたドーム状の一対のカバー部材６３と、遮光膜６２の内周面に設けられた照明デバイス８と、照明デバイス８の先端部及び基端部にそれぞれ取付けられた一対の撮像ユニット９と、照明デバイス８を制御する制御部６４と、を備えている。
【００３９】
カバー部材６３は樹脂等の透明の材料により形成されている。そして、一対のカバー部材６３が遮光膜６２の先端部及び基端部に水密に取付けられることにより、内視鏡６１の外形形状は全体としてカプセル状に形成されるとともに、体腔内に導入されたときに内部に収容された照明デバイス８や撮像ユニット９を体液等から保護することができる構造となっている。
本実施形態では、照明デバイス８の導入方向Ｄ１の先端部だけでなく、基端方向Ｄ２の先端部にも光取出し部１０が配設されている。
そして、照明デバイス８の先端部に取付けられた撮像ユニット９は導入方向Ｄ１側を撮像し、照明デバイス８の基端部に取付けられた撮像ユニット９は基端方向Ｄ２側を撮像することができるように構成されている。
【００４０】
以上のように構成された内視鏡６１は、カプセル状に形成されているので、被験者への負担を極力減らした状態で体腔内に導入することができる。
しかも、１つの照明デバイス８で導入方向Ｄ１側及び基端方向Ｄ２側を一度に照明するとともに、一対の撮像ユニット９で導入方向Ｄ１及び基端方向Ｄ２側を一度に撮像することができる。
このため、導入方向Ｄ１側と基端方向Ｄ２側を照明する照明デバイス８を別々に備える必要がなく、内視鏡６１の部品点数を削減することができる。
【００４１】
なお、本実施形態では、透明の材料により形成されたカバー部材６３、光取出し部１０、及び撮像ユニット９は、内視鏡６１の導入方向Ｄ１側のみ備えられ、遮光膜６２の基端部の開口を別の部材で水密に塞ぐ構成にしても良い。
【００４２】
以上、本発明の第１実施形態から第３実施形態について図面を参照して詳述したが、具体的な構成はこの実施形態に限られるものではなく、本発明の要旨を逸脱しない範囲の構成の変更等も含まれる。
例えば、上記第１実施形態から第３実施形態では、被験者の体腔内を撮像する医療用の内視鏡を例に挙げて説明したが、例えば、エンジン等のユニットを観察対象として、ユニット内を撮像する工業用の内視鏡であっても良い。
【符号の説明】
【００４３】
１、５１、６１  内視鏡
７、６２  遮光膜（遮光部）
８、３１、４１、５２  照明デバイス
９    撮像ユニット
１０  光取出し部
１１、１１Ａ、１１Ｅ、１１Ｆ  第１の電極
１２、１２Ａ、１２Ｂ、１２Ｅ、１２Ｆ  第２の電極
１３、１３Ａ、１３Ｂ、１３Ｃ、１３Ｅ、１３Ｆ  有機発光層
１４、１４Ａ、１４Ｂ、１４Ｃ、１４Ｄ、１４Ｅ、１４Ｆ  発光ユニット
６３  カバー部材
１８、６４  制御部
Ｄ１  導入方向
Ｅ１、Ｅ２  積層方向
【図１】
2010227156.tif 000003
【図２】
2010227156.tif 000004
【図３】
2010227156.tif 000005
【図４】
2010227156.tif 000006
【図５】
2010227156.tif 000007
【図６】
2010227156.tif 000008
【図７】
2010227156.tif 000009
【図８】
2010227156.tif 000010
【図９】
2010227156.tif 000011